(57)【要約】【課題】  背面液晶画面を体に近づけた場合であっても容易に撮影範囲の確認を行うことができる撮像装置等を提供することを目的とする。【解決手段】  ユーザがより広い撮像範囲で撮像したい場合に、デジタルスチルカメラ１は、当該デジタルスチルカメラ１をユーザが体に近づける操作を検出する。これに応じて、デジタルスチルカメラ１は、液晶表示部１９のうちの一部にライブビュー画像の縮小画像１９ａを表示させる。これにより、縮小画像１９ａでライブビュー画像の全体を確認することを容易にできる。【選択図】      図４
2011066699.tif 000002
【特許請求の範囲】
【請求項１】
本体部の前面の被写体を撮像する撮像手段と、
前記本体部の背面に設けられ、前記撮像手段により撮像された撮像画像を表示画面に表示する表示手段と、
前記本体部に対するユーザの操作を検出する操作検出手段と、
前記操作検出手段がユーザが本体部を自身の体に近づける操作を検出した場合に、前記表示画面に表示されている撮像画像を縮小した縮小画像を表示させる表示制御手段と
を備えることを特徴とする撮像装置。
【請求項２】
前記表示制御手段は、前記操作検出手段により検出されたユーザが本体部を自身の体に近づける操作をしていない場合には前記表示画面に対して第１サイズの撮像画像を表示させ、前記操作検出手段によりユーザが本体部を自身の体に近づける操作を検出した場合には前記表示画面の一部に前記第１サイズよりも小さい第２サイズの縮小画像を表示させることを特徴とする請求項１に記載の撮像装置。
【請求項３】
前記本体部の背面の被写体を撮像する背面撮像手段と、
前記背面撮像手段により撮像された背面撮像画像におけるユーザの顔の位置を検出する顔位置検出手段とを更に備え、
前記表示制御手段は、前記顔位置検出手段により検出された顔の位置に対応した表示画面の一部に前記縮小画像を表示することを特徴とする請求項１又は請求項２に記載の撮像装置。
【請求項４】
撮像装置に内蔵されたコンピュータに実行される表示用プログラムであって、
本体部の前面からの光に基づいて撮像処理を行う撮像処理と、
前記本体部の背面に設けられ、前記撮像処理により撮像された撮像画像を表示する表示処理と、
前記本体部に対するユーザの操作を検出する操作検出処理と、
前記操作検出処理によりユーザが本体部を自身の体に近づける操作を検出した場合に、表示画面に表示されている撮像画像を縮小した縮小画像を表示させる表示制御処理と
前記コンピュータに実行させることを特徴とする撮像装置の表示用プログラム。
【発明の詳細な説明】
【技術分野】
【０００１】
本発明は、撮像装置及び撮像装置の表示用プログラムに関する。
【背景技術】
【０００２】
近年のデジタルカメラに対しては、室内などの撮影者の撮影位置に制限のある条件で、より広い範囲を撮影したいという市場ニーズがある。これに対し、従来より、デジタルカメラの撮像範囲を広角にする広角化する技術開発が行われている。一方、デジタルカメラにおいては、通常撮影時における使用感を向上させることを目的として、背面液晶画面を大型化する技術開発が行われている。
【０００３】
このようなデジタルカメラにおいて、従来より、特許文献１に記載されているような技術が知られている。この特許文献１には、表示手段にライブビュー画像を表示しているときに、撮影者との距離を測定し、当該距離に応じて画角を変更する撮像装置が記載されている。
【先行技術文献】
【特許文献】
【０００４】
【特許文献１】特開２００７−４３２９２号公報
【発明の概要】
【発明が解決しようとする課題】
【０００５】
しかしながら、上述したデジタルカメラは、背面液晶画面の全体に、当該デジタルカメラの撮影範囲の画像を表示するために、背面液晶画面が大型化するほど、当該背面液晶画面を顔や体に近づけた状態で当該背面液晶画面の画像全体を確認することが困難となる。
【０００６】
このため、ユーザは、背面液晶画面の画像を確認しながら撮影するためには、目で背面液晶画面全体を見る必要があるために背面液晶画面と顔との距離をある程度大きくする必要がある。このように背面液晶画面と顔との距離を大きくすると、デジタルカメラと被写体とが近づくために、デジタルカメラの撮影範囲が狭くなってしまう。これに対しデジタルカメラの撮影範囲を広くするように無理にデジタルカメラを体に近づけると、撮影の難易度が上がってしまうという問題があった。
【０００７】
また、デジタルカメラは、光学ファインダや電子ビューファインダ（ＥＶＦ：Electronic View Finder）を搭載しているものもある。このようなデジタルカメラでは、ファインダを使用することにより当該デジタルカメラと顔とを近づけて撮影を行うことが可能である。しかし、ファインダ機構は、搭載するためにデジタルカメラが大型化することや高価格化に繋がる。
【０００８】
そこで、本発明は、上述した実情に鑑みて提案されたものであり、背面液晶画面を体に近づけた場合であっても容易に撮影範囲の確認を行うことができる撮像装置及び撮像装置の表示用プログラムを提供することを目的とする。
【課題を解決するための手段】
【０００９】
本発明に係る撮像装置は、本体部の前面の被写体を撮像する撮像手段と、前記本体部の背面に設けられ、前記撮像手段により撮像された撮像画像を表示画面に表示する表示手段と、前記本体部に対するユーザの操作を検出する操作検出手段と、前記操作検出手段がユーザが本体部を自身の体に近づける操作を検出した場合に、前記表示画面に表示されている撮像画像を縮小した縮小画像を表示させる表示制御手段とを備える。
【００１０】
本発明に係る撮像装置の表示用プログラムは、撮像装置に内蔵されたコンピュータに実行される表示用プログラムであって、本体部の前面からの光に基づいて撮像処理を行う撮像処理と、前記本体部の背面に設けられ、前記撮像手段により撮像された撮像画像を表示する表示処理と、前記本体部に対するユーザの操作を検出する操作検出処理と、前記操作検出手段によりユーザが本体部を自身の体に近づける操作を検出した場合に、前記表示画面に表示されている撮像画像を縮小した縮小画像を表示させる表示制御処理と前記コンピュータに実行させる。
【発明の効果】
【００１１】
本発明に係る撮像装置及び撮像装置の表示用プログラムによれば、ユーザが本体部を自身の体に近づける操作を検出した場合に、撮像画像を縮小した縮小画像を表示させるので、背面液晶画面を体に近づけた場合であっても容易に撮影範囲の確認を行うことができる。
【図面の簡単な説明】
【００１２】
【図１】本発明の一実施形態となるデジタルスチルカメラの構成を示し斜視図であり、（ａ）は主に前面の構成、（ｂ）は主に背面の構成を示す斜視図である。
【図２】図１に示すデジタルスチルカメラの制御系の構成を示すブロック図である。
【図３】デジタルスチルカメラとユーザとの距離が通常であるときの状態を説明する図である。
【図４】デジタルスチルカメラとユーザとの距離が近づいた状態を説明する図である。
【図５】（ａ）はデジタルスチルカメラがユーザの体に近づいていないときのライブビュー画像の表示状態であり、（ｂ）はデジタルスチルカメラがユーザの体に近づいたときのライブビュー画像の表示状態である。
【図６】（ａ）はデジタルスチルカメラがユーザの体に近づいていないときのライブビュー画像の表示状態であり、（ｂ）はデジタルスチルカメラがユーザの体に近づいたときのライブビュー画像の表示状態であり、（ｃ）は更にデジタルスチルカメラがユーザの体に近づいたときのライブビュー画像の表示状態である。
【図７】（ａ）はユーザが液晶表示部の左上に近づいた時の位置関係を示す図であり、（ｂ）液晶表示部の左上に縮小画像を表示した状態を示す図である。
【図８】（ａ）はユーザが液晶表示部の右下に近づいた時の位置関係を示す図であり、（ｂ）液晶表示部の右したに縮小画像を表示した状態を示す図である。
【図９】本発明の一実施形態となるデジタルスチルカメラによる表示処理の処理手順を示すフローチャートである。
【発明を実施するための形態】
【００１３】
以下、本発明の実施の形態について図面を参照して説明する。
【００１４】
始めに、図１（ａ），（ｂ）を参照して、本発明の一実施形態となるデジタルスチルカメラ１の全体構成について説明する。
【００１５】
本発明の一実施形態として示すデジタルスチルカメラ１は、図１（ａ）に示すように、略四角形形状の薄板状本体（以下、本体と略記）２の前面に撮影レンズ３，セルフタイマランプ４，ファインダ窓５，ストロボ発光部６，及びマイクロホン部７を備える。本体２上面の（ユーザにとって）右端側には電源キー８及びシャッタキー９が設けられている。
【００１６】
撮影レンズ３は、焦点距離を無段階に変化させるズーム機能及びＡＦ（Auto Focus）機能を有する。この撮影レンズ３は、電源オフ時及び再生モード時は本体２内部に沈胴する。電源キー８は、電源のオン／オフ毎に操作されるキーである。シャッタキー９は、撮影モード時に撮影タイミングを指示する。
【００１７】
本体２の背面には、図１（ｂ）に示すように、撮影モード（Ｒ）キー１０，再生モード（Ｐ）キー１１，電子ビューファインダ（ＥＶＦ）１２，スピーカ部１３，マクロキー１４，ストロボキー１５，メニュー（ＭＥＮＵ）キー１６，リングキー１７，セット（ＳＥＴ）キー１８，液晶表示部１９，及び背面カメラ２０が設けられている。
【００１８】
撮影モードキー１０は、電源オフの状態から操作することで自動的に電源オンとして静止画の撮影モードに移行する。一方、撮影モードキー１０は、電源オンの状態から繰返し操作することで静止画と動画の撮影モードを循環的に設定する。
【００１９】
再生モードキー１１は、電源オフの状態から操作することで自動的に電源オンとして再生モードに移行する。ＥＶＦ１２は、液晶画面を使用した接眼型のファインダである。ＥＶＦ１２は、撮影モード時にはライブビュー画像を液晶画面に表示する。一方、ＥＶＦ１２は、再生モード時には選択された画像等を再生表示する。マクロキー１４は、静止画の撮影モードで通常撮影とマクロ撮影とを切り換える際に操作する。ストロボキー１５は、ストロボ発光部６の発光モードを切り換える際に操作する。メニューキー１６は、各種メニュー項目等を選択する際に操作する。リングキー１７は、上下左右各方向への項目選択用のキーが一体に形成されたものである。セットキー１８は、リングキー１７の中央に位置し、その時点で選択されている項目を設定する際に操作する。
【００２０】
なお、電子ビューファインダ（ＥＶＦ）１２は、搭載するためのデジタルスチルカメラ１の大型化や高価格化の抑制のために設けられていなくても良い。このために、デジタルスチルカメラ１は、後述する本願の特徴的な表示制御により、電子ビューファインダ（ＥＶＦ）１２を用いなくても、当該デジタルスチルカメラ１を近づけた状態で、ユーザにライブビュー画像を確認させることができる。
【００２１】
液晶表示部１９は、バックライト付きのカラー液晶パネルで構成される。液晶表示部１９は、撮影モード時にはライブビュー画像のモニタ表示を行う。一方、液晶表示部１９は、再生モード時には選択した画像等を再生表示する。図示しないが、デジタルスチルカメラ１の底面には、記録媒体として用いられるメモリカードを着脱するためのメモリカードスロットや、外部のパーソナルコンピュータ等と接続するためのシリアルインタフェースコネクタとしてＵＳＢ（Universal Serial Bus）コネクタ等が設けられている。
【００２２】
特に、液晶表示部１９は、撮影モード時において、本体２に対するユーザの操作に従って、当該液晶表示部１９の表示画面に対して第１サイズのライブビュー画像を表示する状態と、当該液晶表示部１９の表示画面に対する一部に、当該第１サイズよりも小さい第２サイズのライブビュー画像の縮小画像を表示する状態との間で切り換えられる。この第１サイズとは、ユーザがデジタルスチルカメラ１を体に近づけていない状態において液晶表示部１９に表示させるライブビュー画像の大きさである。このユーザがデジタルスチルカメラ１を体に近づけていない状態における第１サイズは、ユーザがライブビュー画像を確認しやすい、例えば液晶表示部１９における所定のライブビュー画像表示領域にライブビュー画像を表示させる画像サイズとなっている。一方、第２サイズは、ユーザがデジタルスチルカメラ１を体に近づけたことにより、第１サイズではユーザがライブビュー画像を確認しずらい状態を回避するための画像サイズであって、第１サイズよりも小さい。この所定のライブビュー画像表示領域とは、液晶表示部１９における全表示領域のうちメニュー画像等の情報画像を除いたライブビュー画像が表示されるべき領域である。
【００２３】
背面カメラ２０は、本体２の背面から撮像をする背面撮像手段である。背面カメラ２０は、液晶表示部１９にライブビュー画像を表示しているときに、液晶表示部１９の表示画面に対するユーザの位置を検出するために設けられる。
【００２４】
次に、図２，図３を参照して、本発明の一実施形態となるデジタルスチルカメラ１の撮像系及び制御系の構成について説明する。
【００２５】
本発明の一実施形態となるデジタルスチルカメラ１は、撮影モードの際、モータ（Ｍ）３１の駆動により撮影レンズ３を移動させて、合焦位置や絞り位置が移動させる。撮像素子であるＣＣＤ（Charge Coupled Device）３３は、撮影レンズ３を構成するレンズ光学系３２の撮影光軸後方に配置されている。このＣＣＤ３３は、タイミング発生器（ＴＧ（Timing Generator））３４と垂直ドライバ３５によって走査駆動される。ＣＣＤ３３は、一定周期毎に結像した光像に対応する光電変換信号を１画面分ごとに供給する。この光電変換信号は、アナログ形態の信号の状態でＲＧＢの各原色成分毎に適宜ゲイン調整された後にサンプルホールド回路（Ｓ／Ｈ（sample/hold））３６でサンプルホールドされ、Ａ／Ｄ（analog to digital）変換器３７でデジタルデータに変換される。このデジタルデータは、カラープロセス回路３８により画素補間処理及びγ補正処理を含むカラープロセス処理が行われ、デジタル値の輝度信号Ｙ及び色差信号Ｃｂ，Ｃｒとされる。そして、デジタル値の輝度信号Ｙ及び色差信号Ｃｂ，Ｃｒは、ＤＭＡ（Direct Memory Access）コントローラ３９に供給される。
【００２６】
ＤＭＡコントローラ３９は、カラープロセス回路３８から受け取った輝度信号Ｙ及び色差信号Ｃｂ，Ｃｒを、同じくカラープロセス回路３８からの複合同期信号，メモリ書込みイネーブル信号，及びクロック信号を用いて一度ＤＭＡコントローラ３９内部のバッファに書込む。ＤＭＡコントローラ３９は、ＤＲＡＭ（Dynamic Random Access Memory）インタフェース（Ｉ／Ｆ(Interface)）４０を介してバッファメモリとして使用されるＤＲＡＭ４１にＤＭＡ転送する。
【００２７】
制御部４２は、ＣＰＵ（Central Processing Unit），ＣＰＵで実行されるコンピュータプログラムを固定的に記憶したＲＯＭ（Read Only Memory），及びワークメモリとして使用されるＲＡＭ（Random Access Memory）等により構成される。制御部４２は、デジタルスチルカメラ１全体の動作を制御する。
【００２８】
制御部４２は、ＤＲＡＭ４１への輝度及び色差信号のＤＭＡ転送終了後に、この輝度及び色差信号を、ＤＲＡＭインタフェース４０を介してＤＲＡＭ４１より読出し、ＶＲＡＭ（Video Random Access Memory）コントローラ４３を介してＶＲＡＭ４４に書込む。デジタルビデオエンコーダ４５は、上記輝度及び色差信号を、ＶＲＡＭコントローラ４３を介してＶＲＡＭ４４より定期的に読出し、これらのデータを元にビデオ信号を発生してＥＶＦ１２と液晶表示部１９に供給する。ＥＶＦ１２と液晶表示部１９は、デジタルビデオエンコーダ４５から受け取ったビデオ信号に基づいた表示を行う。これにより、ＥＶＦ１２及び液晶表示部１９は、その時点でＶＲＡＭコントローラ４３から取込んでいる画像情報に基づく画像（ライブビュー画像）をリアルタイムに表示する。
【００２９】
このようにＥＶＦ１２と液晶表示部１９には、その時点での画像がライブビュー画像としてリアルタイムに表示される。このようなライブビュー画像の表示状態で、静止画撮影を行いたいタイミングでシャッタキー９が操作されると、当該シャッタキー９は、トリガ信号を発生する。制御部４２は、このトリガ信号に応じてその時点でＣＣＤ３３から取込んでいる１画面分の輝度及び色差信号のＤＲＡＭ４１へのＤＭＡ転送を取り止める。次に、制御部４２は、改めて適正な露出条件に従った絞り値及びシャッタ速度でＣＣＤ３３を駆動して、１画面分の輝度及び色差信号を得てＤＲＡＭ４１へ転送し、その後にこの経路を停止し、記録保存の状態に遷移する。
【００３０】
この記録保存の状態では、制御部４２は、ＤＲＡＭ４１に書込まれている輝度及び色差信号を、ＤＲＡＭインタフェース４０を介してＹ，Ｃｂ，Ｃｒの各コンポーネント毎に読出して、画像処理部４７に書込む。この画像処理部４７は、ＡＤＣＴ（Adaptive Discrete Cosine Transform：適応離散コサイン変換），エントロピ符号化方式であるハフマン符号化等の処理によりデータ圧縮する。そして、制御部４２は、得られた符号データを画像処理部４７から読出し、デジタルスチルカメラ１の記録媒体として着脱自在に装着されるメモリカード４８又はデジタルスチルカメラ１に固定的に内蔵される内蔵メモリ（図示せず）のいずれか一方に書込む。そして、制御部４２は、輝度及び色差信号の圧縮処理及びメモリカード４８又は内蔵メモリへの全圧縮データの書込み終了に伴なって、ＣＣＤ３３からＤＲＡＭ４１への経路を再び起動する。
【００３１】
制御部４２には、キー入力部４９が接続される。キー入力部４９は、上述した電源キー８，シャッタキー９，撮影モードキー１０，再生モードキー１１，マクロキー１４，ストロボキー１５，メニューキー１６，リングキー１７，セットキー１８等から構成される。これらのキー操作に伴なう信号は、直接に制御部４２へ供給される。
【００３２】
更に、制御部４２には、本体部の背面から撮像をするための背面カメラ２０のための構成として、信号処理部５２、ＣＣＤ５３、レンズ光学系５４が接続されている。撮像素子であるＣＣＤ３３は、レンズ光学系５４を透過した光を受光し、信号処理部５２は、ＣＣＤ５３が受光して得た撮像信号に対して所定の映像処理を施す。このとき、ＣＣＤ５３は、図示しないタイミング発生器（ＴＧ）と垂直ドライバによって走査駆動される。ＣＣＤ５３は、一定周期毎に結像した光像に対応する光電変換信号を１画面分ごとに供給する。この光電変換信号は、アナログ形態の信号の状態でＲＧＢの各原色成分毎に適宜ゲイン調整された後に、信号処理部５２により、サンプルホールドされ、デジタルデータに変換される。信号処理部５２は、当該デジタルデータに対して画素補間処理及びγ補正処理を含むカラープロセス処理を行い、デジタル値の輝度信号Ｙ及び色差信号Ｃｂ，Ｃｒを生成する。そして、デジタル値の輝度信号Ｙ及び色差信号Ｃｂ，Ｃｒは、制御部４２に供給される。
【００３３】
制御部４２は、背面カメラ２０により撮像されたデジタル値の輝度信号Ｙ及び色差信号Ｃｂ，Ｃｒが供給される。制御部４２（操作検出手段）は、ユーザがデジタルスチルカメラ１の本体２を自身の体に近づける操作を検出する。制御部４２には、距離センサ５０が接続されている。この距離センサ５０としては、赤外線、光、超音波を利用したものが使用可能である。この操作検出手段は、制御部４２が有している複数の機能のうちの一機能である。
【００３４】
距離センサ５０は、赤外線、光、超音波を出射し、ユーザの体により反射された赤外線、光、超音波を検出する。制御部４２（操作検出手段）は、距離センサ５０が赤外線、光、超音波を出射した時刻と、距離センサ５０が赤外線、光、超音波を検出した時刻との時間差を検出し、当該時間差に基づいて、ユーザの体とデジタルスチルカメラ１の本体２との距離を検出する。これにより、制御部４２（操作検出手段）は、ユーザがデジタルスチルカメラ１の本体２を自身の体に近づけた操作を判定する。
【００３５】
このように、制御部４２（操作検出手段）は、距離センサ５０から供給された検出信号を受け取り、当該受け取った検出信号に基づいて、デジタルスチルカメラ１と体との距離を判定する。制御部４２（操作検出手段）は、例えばユーザがデジタルスチルカメラ１を１０ｃｍ程度まで体に近づけた場合に、ユーザがデジタルスチルカメラ１の本体２を自身の体に近づける操作を検出したと判定する。そして、制御部４２（表示制御手段）は、距離センサ５０から供給された検出信号に基づいて、ユーザがデジタルスチルカメラ１の本体２を自身の体に近づける操作を判定した場合に、液晶表示部１９に表示されている撮像画像を縮小した縮小画像を表示させる。この表示制御手段は、制御部４２が有している複数の機能のうちの一機能である。
【００３６】
具体的には、図３（ａ）に示すように、例えば狭い部屋内で撮影を行うときにユーザの背後に壁Ｗがある場合に、ユーザができるだけ広い撮像範囲を撮像したいときには、ユーザは、被写体に対して壁Ｗに寄りかかるまで距離Ｄ１を大きくする。このとき、ユーザがデジタルスチルカメラ１の液晶表示部１９における表示画面全体を見ながら確認するためには、ユーザは、ユーザの顔と液晶表示部１９との距離をＬ１程度だけとる必要がある。この距離Ｌ１は、例えば、ユーザがデジタルスチルカメラ１を体に近づけたと判定される１０ｃｍよりも長い３０ｃｍ程度の距離である。すると、デジタルスチルカメラ１と被写体との距離は、Ｄ１となる。この状態において、当該デジタルスチルカメラ１と被写体との位置関係及び画角から、デジタルスチルカメラ１の撮像範囲１ａが定まる。
【００３７】
このような図３（ａ）に示す状況において、デジタルスチルカメラ１の液晶表示部１９には、図３（ｂ）に示すように撮像範囲１ａにより撮像したライブビュー画像が表示される。この状態で撮影を行うことにより、デジタルスチルカメラ１は、図３（ｃ）に示すような撮影画像を撮影することができる。
【００３８】
しかし、図３（ｃ）に示す撮影画像には、被写体としての複数の人物が画像枠の全体に含まれている。このため、ユーザが部屋内の背景と複数の人物とをバランスよく撮像することを希望する場合、ユーザは、被写体とデジタルスチルカメラ１との距離を大きくする操作をする必要がある。
【００３９】
この場合、図４（ａ）に示すように、ユーザは、自身の背中を壁Ｗに寄りかかるまで被写体との距離を大きくし、更に、ユーザがデジタルスチルカメラ１の本体２を自身の顔に近づける操作をする。例えば、図４（ａ）に示すように、ユーザは、最初はデジタルスチルカメラ１の位置でライブビュー画像を確認していたが、撮像範囲を広くするために、デジタルスチルカメラ１’の位置に移動させている。これにより、デジタルスチルカメラ１と顔との距離は、図３（ａ）に示したＬ１よりも短いＬ２となる。すると、デジタルスチルカメラ１と被写体との距離は、図３（ａ）に示したＤ１よりも長いＤ２となる。この状態において、当該デジタルスチルカメラ１と被写体との位置関係及び画角から、デジタルスチルカメラ１の撮像範囲１ａは、より広くされる。
【００４０】
このような図４（ａ）に示したユーザの操作により、デジタルスチルカメラ１の液晶表示部１９には、図４（ｂ）に示すように撮像範囲１ａにより撮像したライブビュー画像を縮小した縮小画像１９ａが表示される。この状態で撮影を行うことにより、デジタルスチルカメラ１は、図４（ｃ）に示すような範囲の撮影画像を撮影することができる。これにより、デジタルスチルカメラ１は、図３（ｃ）に示した撮影画像よりも、図４（ｃ）に示したように広い撮影範囲の画像を得ることができる。
【００４１】
このように、制御部４２（操作検出手段）は、デジタルスチルカメラ１とユーザの顔との距離がＬ２といったように短くなった場合、ユーザがデジタルスチルカメラ１の本体２を自身の体に近づける操作を検出する。この場合、制御部４２（表示制御手段）は、図４（ｂ）に示すように液晶表示部１９の表示画面全体ではなく、表示画面の一部にライブビュー画像の縮小画像を表示させる。
【００４２】
具体的には、制御部４２（表示制御手段）は、ユーザがデジタルスチルカメラ１を体に近づける操作を検出していない場合、図５（ａ）に示すように、液晶表示部１９におけるライブビュー画像表示領域の全面に亘りライブビュー画像を表示させる。そして、制御部４２（表示制御手段）は、ユーザの体とデジタルスチルカメラ１との距離が所定のしきい値ＤＴＨ以下となった場合に、ライブビュー画像を縮小した縮小画像１９ａを液晶表示部１９の画面中央に表示させる。この液晶表示部１９の画面中央に表示させるとは、縮小画像１９ａの中心と液晶表示部１９の画面の中心とを合致させる位置に縮小画像１９ａを表示させることである。しきい値ＤＴＨは、上述したように、ユーザの体とデジタルスチルカメラ１が近くなったと判断できる１０ｃｍ程度の距離が設定可能である。
【００４３】
他の具体例としては、制御部（表示制御手段）４２は、図６に示すように、ユーザの体とデジタルスチルカメラ１との距離が短くなるほど、ライブビュー画像の拡大率を低くしても良い。例えば図６に示すように、ユーザの体とデジタルスチルカメラ１との距離が所定の第１しきい値ＤＴＨ１以上である場合には、制御部４２（表示制御手段）は、液晶表示部１９におけるライブビュー画像表示領域に対して拡大率が８０％の縮小画像１９ａを表示させる。その後、更にユーザの体とデジタルスチルカメラ１との距離が短くなり第１しきい値ＤＴＨ２以下となった場合には、制御部４２（表示制御手段）は、液晶表示部１９におけるライブビュー画像表示領域に対して拡大率が５０％の縮小画像１９ｂを表示させる。第１しきい値ＤＴＨ１は、例えば２０ｃｍ程度であり、第２のしきい値ＤＴＨ２は、例えば１０ｃｍ程度に設定できる。
【００４４】
更に他の具体例としては、制御部４２（表示制御手段）は、ユーザの体とデジタルスチルカメラ１との距離が短くなればなるほど、次第にライブビュー画像の拡大率を低くしても良い。すなわち、上述した図５，図６に示した具体例は、制御部４２（表示制御手段）が、ユーザの体とデジタルスチルカメラ１との距離としきい値とを比較してライブビュー画像の拡大率を段階的に低くしたが、ユーザの体とデジタルスチルカメラ１との距離が短くなるほど、制御部４２（表示制御手段）が、連続的にライブビュー画像の拡大率を低くしても良い。このときのライブビュー画像の拡大率の変化のさせ方は、ユーザの体とデジタルスチルカメラ１との距離に対して線形的に拡大率を変化させても良く、所定距離より短くなると急峻に拡大率を低くしても良い。
【００４５】
これにより、ユーザは、ユーザの顔を液晶表示部１９に近づけても容易に縮小画像の全体を見ることができる。これにより、デジタルスチルカメラ１は、ユーザが液晶表示部１９に表示されたライブビュー画像を確認しながら撮影を行う場合であっても、ユーザが液晶表示部１９に対して顔を近づけすぎてライブビュー画像全体が確認できない事態を回避できる。
【００４６】
このように液晶表示部１９のライブビュー画像を表示制御するとき、制御部４２（表示制御手段）は、ユーザが本体部を自身の体に近づける操作をしていない場合には液晶表示部１９におけるライブビュー画像表示領域の第１サイズで撮像画像を表示させておく。そして、制御部４２（表示制御手段）は、 ユーザがデジタルスチルカメラ１の本体２を自身の体に近づける操作を検出した場合には、液晶表示部１９におけるライブビュー画像表示領域における一部に第１サイズよりも小さい第２サイズで縮小画像を表示させる。これにより、制御部４２（表示制御手段）は、ユーザがデジタルスチルカメラ１の本体２を自身の体に近づける操作をした場合であっても、液晶表示部１９に表示されたライブビュー画像の全体を容易に確認させることができる。
【００４７】
また、制御部４２（表示制御手段）は、ユーザの体とデジタルスチルカメラ１との距離が近くなった場合に、単に液晶表示部１９におけるライブビュー画像表示領域に縮小画像を表示するのではなく、ユーザの顔の位置に従って縮小画像の表示位置を制御しても良い。この場合、制御部４２（顔位置検出手段）は、背面カメラ２０により撮像された撮像画像である背面撮像画像に基づいて、液晶表示部１９の表示画面に対するユーザの顔の位置を検出する。その後、制御部４２（表示制御手段）は、顔の位置に対応した液晶表示部１９の表示画面の一部に縮小画像を表示させる。
【００４８】
具体的には、制御部４２（顔位置検出手段）は、信号処理部５２から受け取ったデジタル値の輝度信号Ｙ及び色差信号Ｃｂ，Ｃｒに基づいて、図７（ａ）のように、背面カメラ２０により取得された背面撮像画像２０１における、右上領域２０１ＲＨ、右下領域２０１ＲＬ、左上領域２０１ＬＨ、左下領域２０１ＬＬの何れの領域にユーザの顔が含まれているかを判定する。このとき、制御部４２（顔位置検出手段）は、背面カメラ２０により撮影した背面撮像画像２０１における肌色を撮像している画素情報に基づいて、当該背面撮像画像２０１における、どの領域に顔が映り込んでいるかを識別する。制御部４２（顔位置検出手段）は、背面撮像画像２０１の右上領域２０１ＲＨ、右下領域２０１ＲＬ、左上領域２０１ＬＨ、左下領域２０１ＬＬにおける、肌色を撮像している画素数が最も多い領域に対応する液晶表示部１９の位置に対して、ユーザの顔が近づけられていると判定する。
【００４９】
例えば、図７（ａ）中の点線で示すように、ユーザの顔Ｆを表す肌色を写している画素数が最も多い領域が左上領域２０１ＬＨであると制御部４２（顔位置検出手段）が判定した場合、制御部４２（表示制御手段）は、図７（ｂ）に示すように、ライブビュー画像の縮小画像を液晶表示部１９におけるライブビュー画像表示領域における左上部１９ＬＨに表示させる。また、図８（ａ）中の点線で示すように、ユーザの顔Ｆを表す肌色を写している画素数が最も多い領域が右下領域２０１ＲＬであると制御部４２（顔位置検出手段）が判定した場合、制御部４２（表示制御手段）は、図８（ｂ）に示すように、ライブビュー画像の縮小画像を液晶表示部１９におけるライブビュー画像表示領域における右下部１９ＲＬに表示させる。更に、ユーザの顔を表す肌色を写している画素数が最も多い領域が右上領域２０１ＲＨであると制御部４２（顔位置検出手段）が判定した場合、制御部４２（表示制御手段）は、ライブビュー画像の縮小画像を液晶表示部１９におけるライブビュー画像表示領域における右上部１９ＲＨに表示させる。更にまた、ユーザの顔を表す肌色を写している画素数が最も多い領域が左下領域２０１ＬＬであると制御部４２（顔位置検出手段）が判定した場合、制御部４２（表示制御手段）は、ライブビュー画像の縮小画像を液晶表示部１９におけるライブビュー画像表示領域における左下部１９ＬＬに表示させる。
【００５０】
以上のように、制御部４２（操作検出手段、表示制御手段、顔位置検出手段）は、ユーザがデジタルスチルカメラ１の本体２を自身の体に近づける操作を検出した場合に、液晶表示部１９に対するユーザの顔の位置を判定して、液晶表示部１９におけるライブビュー画像表示領域におけるユーザの顔の位置から見やすい位置に対して、縮小画像を表示させることができる。これにより、デジタルスチルカメラ１によれば、ユーザがデジタルスチルカメラ１を自身の顔に近づけた場合であっても、更に容易にライブビュー画像を確認させることができる。
【００５１】
上述したデジタルスチルカメラ１は、制御部４２内のＲＯＭに、当該デジタルスチルカメラ１の表示用プログラムを記憶しており、撮影モードにおいて当該表示用プログラムを起動する。このデジタルスチルカメラ１は、内部コンピュータである制御部４２により、表示用プログラムを実行することにより、上述したように縮小画像を表示することができる。以下、この表示用プログラムを実行することによる制御部４２の処理を、図９を参照して説明する。
【００５２】
この処理は、先ずステップＳ１において、制御部４２（操作検出手段）は、距離センサ５０の検出信号に基づいて、図４のようにユーザがデジタルスチルカメラ１の本体２を自身の体に近づける操作をしたか否かを判定する。このとき、制御部４２（操作検出手段）は、距離センサ５０から供給された検出信号を用いて、本体２とユーザとの距離を認識する。そして、制御部４２（操作検出手段）は、距離センサ５０からの検出信号により、ユーザがデジタルスチルカメラ１の本体２を自身の体に近づける操作をしたと判定した場合には、ステップＳ２に処理を進める。そうでない場合、制御部４２は、ステップＳ１の処理を繰り返す。
【００５３】
次のステップＳ２において、制御部４２は、信号処理部５２から供給された背面撮像画像を取り込む。この画像取込処理は、当該背面撮像画像を用いて液晶表示部１９に対するユーザの顔の位置を判定するためである。
【００５４】
次のステップＳ３において、制御部４２（顔位置検出手段）は、図７及び図８を参照して説明したように、ステップＳ２にて取り込んだ背面撮像画像における、ユーザの顔が存在する領域を判定することにより、液晶表示部１９におけるどの位置にユーザの顔が存在するかを判定する。
【００５５】
次のステップＳ４において、制御部４２（表示制御手段）は、ステップＳ３にて判定したユーザの顔の位置に対応した液晶表示部１９におけるライブビュー画像表示領域の一部に、ライブビュー画像の縮小画像を表示させる。例えば、制御部４２（表示制御手段）は、ＶＲＡＭ４４に格納しているライブビュー画像を、ＶＲＡＭコントローラ４３を介して読み込み、ライブビュー画像を１／４の面積に縮小して液晶表示部１９における何れかの領域１９ＲＨ，１９ＲＬ，１９ＬＨ，１９ＬＬで表示させるための画像データを作成する。この画像データは、液晶表示部１９におけるライブビュー画像表示領域における、右上部１９ＲＨ，右下部１９ＲＬ，左上部１９ＬＨ，左下部１９ＬＬの何れかのみに縮小画像が含まれ、縮小画像が表示されていないその他の右上部１９ＲＨ，右下部１９ＲＬ，左上部１９ＬＨ，左下部１９ＬＬが黒等の単一色の画像である。これにより、デジタルスチルカメラ１は、ユーザの顔の位置が本体２に近づいても、当該ユーザの顔の位置からライブビュー画像全体が簡単に確認させることができる。
【００５６】
次のステップＳ５において、制御部４２（操作検出手段）は、ユーザがデジタルスチルカメラ１の本体２を自身の体に近づける操作が終了したか否かを判定する。このとき、制御部４２（操作検出手段）は、当該ユーザがデジタルスチルカメラ１の本体２を自身の体に近づける操作が終了したことを、ステップＳ１のように距離センサ５０から供給された検出信号を用いて判定する。制御部４２（操作検出手段）は、ユーザがデジタルスチルカメラ１の本体２を自身の体に近づける操作が終了していない場合には、処理をステップＳ２に戻し、当該ユーザがデジタルスチルカメラ１の本体２を自身の体に近づける操作が終了した場合には、処理をステップＳ６に進める。これにより、制御部４２（表示制御手段）は、ユーザがデジタルスチルカメラ１の本体２を自身の体に近づけている期間においては、縮小画像を液晶表示部１９に表示する動作を継続する。
【００５７】
ステップＳ６において、制御部４２（表示制御手段）は、図４のように、ユーザがデジタルスチルカメラ１の本体２を自身の体に近づける操作が終了したことに対応して、液晶表示部１９におけるライブビュー画像表示領域の一部の領域１９ＲＨ，１９ＲＬ，１９ＬＨ，１９ＬＬにライブビュー画像の縮小画像を表示させる動作を終了する。これにより、制御部４２は、ＶＲＡＭ４４に記憶された液晶表示部１９におけるライブビュー画像表示領域に対して第１サイズのライブビュー画像を表示する動作に復帰させるように、ＶＲＡＭコントローラ４３を制御する。
【００５８】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００５９】
すなわち、制御部４２（操作検出手段）は、ユーザがデジタルスチルカメラ１を自身の体に近づける操作を検出するための構成として、距離センサ５０ではなく、背面カメラ２０を利用しても良い。この場合、制御部４２（操作検出手段）は、背面カメラ２０により撮像された背面撮像画像を取得する。制御部４２（操作検出手段）は、背面撮像画像における、ユーザの顔を示す肌色の割合が所定のしきい値以上である場合には、ユーザがデジタルスチルカメラ１を自身の体に近づける操作を検出する。このユーザがデジタルスチルカメラ１を自身の体に近づける操作を検出するための背面撮像画像における肌色の割合の所定のしきい値は、例えば、背面撮像画像における７０％と設定できる。これにより、制御部４２（操作検出手段、表示制御手段）は、デジタルスチルカメラ１が距離センサ５０を備えていない構成であっても、ユーザがデジタルスチルカメラ１を自身の体に近づける操作を検出でき、且つ、上述したように背面撮像画像を用いて縮小画像の表示位置を制御できる。
【符号の説明】
【００６０】
１  デジタルスチルカメラ
１ａ  撮像範囲
２  本体
３  撮影レンズ
４  セルフタイマランプ
５  ファインダ窓
６  ストロボ発光部
７  マイクロホン部
８  電源キー
９  シャッタキー
１０  撮影モードキー
１１  再生モードキー
１２  ＥＶＦ
１３  スピーカ部
１４  マクロキー
１５  ストロボキー
１６  メニューキー
１７  リングキー
１８  セットキー
１９  液晶表示部
１９ａ  縮小画像
２０  背面カメラ
３２  レンズ光学系
３３  ＣＣＤ
３５  垂直ドライバ
３６  サンプルホールド回路（Ｓ／Ｈ）
３７  Ａ／Ｄ変換器
３８  カラープロセス回路
３９  ＤＭＡコントローラ
４０  ＤＲＡＭインタフェース
４１  ＤＲＡＭ
４２  制御部
４３  ＶＲＡＭコントローラ
４４  ＶＲＡＭ
４５  デジタルビデオエンコーダ
４７  画像処理部
４８  メモリカード
４９  キー入力部
５０  音声処理部
５１  ストロボ駆動部
５２  信号処理部
５３  ＣＣＤ
５４  レンズ光学系
【図１】
2011066699.tif 000003
【図２】
2011066699.tif 000004
【図３】
2011066699.tif 000005
【図４】
2011066699.tif 000006
【図５】
2011066699.tif 000007
【図６】
2011066699.tif 000008
【図７】
2011066699.tif 000009
【図８】
2011066699.tif 000010
【図９】
2011066699.tif 000011